(57)【要約】【課題】  ガス及び水道の回収不能料金を削減することが可能なガス料金管理システム、水道料金管理システム、ガス料金管理プログラム、水道料金管理プログラム及び記憶媒体を提供する。【解決手段】  本発明のガス料金管理システム１０では、前払いされた使用料金分のガスが使用し尽くされると、集中管理用コンピュータ４０からマイクロコンピュータ２２にガス停止命令が出力されてガス弁１５が閉じられ、前払いされた使用料金を超えるガスの使用ができなくなる。即ち、本実施形態のガス料金管理システム１０によれば、ガス料金の所謂踏み倒しが防止され、従来に比べてガスの回収不能料金を削減することが可能になる。【選択図】  図５
2005148882.tif 000002
【特許請求の範囲】
【請求項１】
複数の住居のうちガスの使用料金を前払いした住居に対してガスの供給を開始する一方、前払いした使用料金に対する相当量のガスを使用し尽くした住居に対してガスの供給を停止するガス料金管理システムであって、
前記住居から離れた場所に集中管理用コンピュータを備え、
前記各住居毎のガスの使用量を計測するガスメータと、前記各住居毎にガスの供給及び停止を切り替えるためのガス弁と、前記ガス弁を制御し前記集中管理用コンピュータと通信可能な弁制御用コンピュータとを前記各住居に設けると共に、
前記集中管理用コンピュータには、前記使用料金が前払いされたことに応じて入金情報が前記住居毎に書き込まれる入金情報データベースと、
前記入金情報データベースに前記入金情報が書き込まれた前記住居の前記弁制御用コンピュータに、前記ガス弁を開くためのガス供給開始命令を出力する開始命令出力機能と、
前記入金情報と前記ガスメータの計測結果とに基づいて、前記前払いされた使用料金に対する相当量のガスが使用し尽くされたか否かを判別する使用完了判別機能と、
前記使用完了判別機能の判別結果に応じ、前記ガスが使用し尽くされた住居の前記弁制御用コンピュータに、前記ガス弁を閉じるためのガス停止命令を出力する停止命令出力機能が備えられたことを特徴とするガス料金管理システム。
【請求項２】
前記集中管理用コンピュータの前記停止命令出力機能には、
前記ガスを使用し尽くす前に前記使用料金を追加して前払いする継続手続きが所定回以上行われた前記住居に対しては、前記ガスが使用し尽くされても所定の猶予期間を経過するまでは前記ガス弁を閉じない猶予期間付与機能が備えられたことを特徴とする請求項１に記載のガス料金管理システム。
【請求項３】
複数の住居のうちガスの使用料金を前払いした住居に対してガスの供給を開始する一方、前払いした使用料金に対する相当量のガスを使用し尽くした住居に対してガスの供給を停止するガス料金管理システムであって、
前記住居から離れた場所に集中管理用コンピュータを備え、
前記各住居毎のガスの使用量を計測するガスメータと、前記各住居毎にガスの供給及び停止を切り替えるためのガス弁と、前記ガス弁を制御し前記集中管理用コンピュータと通信可能な弁制御用コンピュータとを前記各住居に設けると共に、
前記集中管理用コンピュータには、前記使用料金が前払いされたことに応じて入金情報が前記住居毎に書き込まれる入金情報データベースと、
前記入金情報データベースに前記入金情報が書き込まれた前記住居の前記弁制御用コンピュータに、前記ガス弁を開くためのガス供給開始命令を出力する開始命令出力機能とが備えられ、
前記弁制御用コンピュータは、前記ガスメータの計測結果に基づいて、前記前払いされた使用料金に対する相当量のガスが使用し尽くされたときに前記ガス弁を閉じるように構成されたことを特徴とするガス料金管理システム。
【請求項４】
前記弁制御コンピュータと前記集中管理用コンピュータとが通信不可能な時に、前記弁制御コンピュータへ弁閉信号を出力するシステム制御部を前記各住居に設けたことを特徴とする請求項１又は３に記載のガス料金管理システム。
【請求項５】
前記入金情報データベースには、前記住居の利用者が有する端末装置に通信ネットワークを介して前記集中管理用コンピュータを接続するための通信アドレスが記憶され、前記集中管理用コンピュータは、ガスの残量が所定量以下になった前記住居の利用者のユーザー端末に報知信号を出力する報知機能を備えたことを特徴とする請求項１乃至４の何れかに記載のガス料金管理システム。
【請求項６】
前記入金情報データベースには、前記住居の利用者毎に設定された利用者識別情報が記憶され、
前記集中管理用コンピュータは、前記通信ネットワークを介して任意の端末装置が接続可能に構成されると共に、前記利用者識別情報を前記端末装置から受信したときに、その利用者識別情報に対応する利用者が使用可能なガスの残量を前記端末装置に送信するガス残量開示機能を備えたことを特徴とする請求項１乃至５の何れかに記載のガス料金管理システム。
【請求項７】
前記集中管理用コンピュータは、前記弁制御用コンピュータから受信した前記ガスメータの計測結果に基づいて、前記各住居毎のガスの使用パターン又はガスの単位期間当たりの使用量を特定するガス使用形態特定機能と、
ガスの使用パターン又はガスの単位期間当たりの使用量が、通常のガスの使用パターン又は単位期間当たりの使用量と異なった場合に、異常報知、ガス停止その他の異常処理を行う異常処理機能とを備えたことを特徴とする請求項１乃至６の何れかに記載のガス料金管理システム。
【請求項８】
前記集中管理用コンピュータは、未使用分のガスの残量に対する払い戻し金額を演算する払い戻し金額演算機能を備えたことを特徴とする請求項１乃至７の何れかに記載のガス料金管理システム。
【請求項９】
複数の住居のうちガスの使用料金を前払いした住居に対してガスの供給を開始する一方、前払いした使用料金に対する相当量のガスを使用し尽くした住居に対してガスの供給を停止するために、コンピュータシステムを、
前記使用料金が前払いされたことに応じて入金情報が前記住居毎に書き込まれる入金情報記憶手段、
前記入金情報記憶手段に前記入金情報が書き込まれた前記住居のガス弁を開くためのガス供給開始命令を出力する開始命令出力手段、
前記入金情報と前記住居に備えたガスメータの計測結果とに基づいて、前記前払いされた使用料金に対する相当量のガスが使用し尽くされたか否かを判別する使用完了判別手段、
前記使用完了判別手段の判別結果に応じ、前記ガスが使用し尽くされた住居の前記ガス弁を閉じるためのガス停止命令を出力する停止命令出力手段、
として機能させるガス料金管理プログラム。
【請求項１０】
請求項９に記載のガス料金管理プログラムを記憶した記憶媒体。
【請求項１１】
複数の住居のうち水道の使用料金を前払いした住居に対して水道の供給を開始する一方、前払いした使用料金に対する相当量の水道を使用し尽くした住居に対して水道の供給を停止する水道料金管理システムであって、
前記住居から離れた場所に集中管理用コンピュータを備え、
前記各住居毎の水道の使用量を計測する水道メータと、前記各住居毎に水道の供給及び停止を切り替えるための水道弁と、前記水道弁を制御し前記集中管理用コンピュータと通信可能な弁制御用コンピュータとを前記各住居に設けると共に、
前記集中管理用コンピュータには、前記使用料金が前払いされたことに応じて入金情報が前記住居毎に書き込まれる入金情報データベースと、
前記入金情報データベースに前記入金情報が書き込まれた前記住居の前記弁制御用コンピュータに、前記水道弁を開くための水道供給開始命令を出力する開始命令出力機能と、
前記入金情報と前記水道メータの計測結果とに基づいて、前記前払いされた使用料金に対する相当量の水道が使用し尽くされたか否かを判別する使用完了判別機能と、
前記使用完了判別機能の判別結果に応じ、前記水道が使用し尽くされた住居の前記弁制御用コンピュータに、前記水道弁を閉じるための水道停止命令を出力する停止命令出力機能とが備えられたことを特徴とする水道料金管理システム。
【請求項１２】
複数の住居のうち水道の使用料金を前払いした住居に対して水道の供給を開始する一方、前払いした使用料金に対する相当量の水道を使用し尽くした住居に対して水道の供給を停止する水道料金管理システムであって、
前記住居から離れた場所に集中管理用コンピュータを備え、
前記各住居毎の水道の使用量を計測する水道メータと、前記各住居毎に水道の供給及び停止を切り替えるための水道弁と、前記水道弁を制御し前記集中管理用コンピュータと通信可能な弁制御用コンピュータとを前記各住居に設けると共に、
前記集中管理用コンピュータには、前記使用料金が前払いされたことに応じて入金情報が前記住居毎に書き込まれる入金情報データベースと、
前記入金情報データベースに前記入金情報が書き込まれた前記住居の前記弁制御用コンピュータに、前記水道弁を開くための水道供給開始命令を出力する開始命令出力機能とが備えられ、
前記弁制御用コンピュータは、前記水道メータの計測結果に基づいて、前記前払いされた使用料金に対する相当量の水道が使用し尽くされたときに前記水道弁を閉じるように構成されたことを特徴とする水道料金管理システム。
【請求項１３】
前記弁制御コンピュータと前記集中管理用コンピュータとが通信不可能な時に、前記弁制御コンピュータへ弁閉信号を出力するシステム制御部を前記各住居に設けたことを特徴とする請求項１１又は１２に記載の水道料金管理システム。
【請求項１４】
複数の住居のうち水道の使用料金を前払いした住居に対して水道の供給を開始する一方、前払いした使用料金に対する相当量の水道を使用し尽くした住居に対して水道の供給を停止するために、コンピュータシステムを、
前記使用料金が前払いされたことに応じて入金情報が前記住居毎に書き込まれる入金情報記憶手段、
前記入金情報記憶手段に前記入金情報が書き込まれた前記住居の水道弁を開くための水道供給開始命令を出力する開始命令出力手段、
前記入金情報と前記住居に備えた水道メータの計測結果とに基づいて、前記前払いされた使用料金に対する相当量の水道が使用し尽くされたか否かを判別する使用完了判別手段、
前記使用完了判別手段の判別結果に応じ、前記水道が使用し尽くされた住居の前記水道弁を閉じるための水道停止命令を出力する停止命令出力手段、
として機能させる水道料金管理プログラム。
【請求項１５】
請求項１４に記載の水道料金管理プログラムを記憶した記憶媒体。
【発明の詳細な説明】
【技術分野】
【０００１】
本発明は、ガス料金管理システム、水道料金管理システム、ガス料金管理プログラム、水道料金管理プログラム及び記憶媒体に関する。
【背景技術】
【０００２】
従来より、各住居で使用されるガスに対する使用料金は、ガスメータにより計測した月ごとの実際の使用量に基づいて算出され、翌月に各住居毎に使用料金を請求する料金回収方法を採っていた。また別の料金回収方法として、ガスの使用前に硬貨を投入すると、投入金額に応じてガスの使用が可能になる前金式メータを用いた回収方法も提案されていた（例えば、特許文献１参照）。
【特許文献１】特開閉１０−１６０５４３号公報（段落［００１８］、第１図）
【発明の開示】
【発明が解決しようとする課題】
【０００３】
しかしながら、上記した翌月払いの回収方法では、その使用料金を支払わずに住居から退去される場合があり、使用料金の回収が困難であった。一方、前金式メータを用いた料金回収方法では、作業員が各住居に出向いて料金の回収を行う必要があるため、回収作業に時間がかかった。このため、回収不能料金を削減し、且つ迅速な料金回収方法が求められていた。また、これらの事情については、水道料金の回収にも当てはまった。
【０００４】
本発明は、上記事情に鑑みてなされたもので、ガス又は水道の回収不能料金を削減し、迅速に使用料金を回収することが可能なガス料金管理システム、水道料金管理システム、ガス料金管理プログラム、水道料金管理プログラム及び記憶媒体の提供を目的とする。
【課題を解決するための手段】
【０００５】
上記目的を達成するためになされた請求項１の発明に係るガス料金管理システムは、複数の住居のうちガスの使用料金を前払いした住居に対してガスの供給を開始する一方、前払いした使用料金に対する相当量のガスを使用し尽くした住居に対してガスの供給を停止するガス料金管理システムであって、住居から離れた場所に集中管理用コンピュータを備え、各住居毎のガスの使用量を計測するガスメータと、各住居毎にガスの供給及び停止を切り替えるためのガス弁と、ガス弁を制御し集中管理用コンピュータと通信可能な弁制御用コンピュータとを各住居に設けると共に、集中管理用コンピュータには、使用料金が前払いされたことに応じて入金情報が住居毎に書き込まれる入金情報データベースと、入金情報データベースに入金情報が書き込まれた住居の弁制御用コンピュータに、ガス弁を開くためのガス供給開始命令を出力する開始命令出力機能と、入金情報とガスメータの計測結果とに基づいて、前払いされた使用料金に対する相当量のガスが使用し尽くされたか否かを判別する使用完了判別機能と、使用完了判別機能の判別結果に応じ、ガスが使用し尽くされた住居の弁制御用コンピュータに、ガス弁を閉じるためのガス停止命令を出力する停止命令出力機能が備えられたところに特徴を有する。
【０００６】
請求項２の発明は、請求項１に記載のガス料金管理システムにおいて、集中管理用コンピュータの停止命令出力機能には、ガスを使用し尽くす前に使用料金を追加して前払いする継続手続きが所定回以上行われた住居に対しては、ガスが使用し尽くされても所定の猶予期間を経過するまではガス弁を閉じない猶予期間付与機能が備えられたところに特徴を有する。
【０００７】
請求項３の発明に係るガス料金管理システムは、複数の住居のうちガスの使用料金を前払いした住居に対してガスの供給を開始する一方、前払いした使用料金に対する相当量のガスを使用し尽くした住居に対してガスの供給を停止するガス料金管理システムであって、住居から離れた場所に集中管理用コンピュータを備え、各住居毎のガスの使用量を計測するガスメータと、各住居毎にガスの供給及び停止を切り替えるためのガス弁と、ガス弁を制御し集中管理用コンピュータと通信可能な弁制御用コンピュータとを各住居に設けると共に、集中管理用コンピュータには、使用料金が前払いされたことに応じて入金情報が住居毎に書き込まれる入金情報データベースと、入金情報データベースに入金情報が書き込まれた住居の弁制御用コンピュータに、ガス弁を開くためのガス供給開始命令を出力する開始命令出力機能とが備えられ、弁制御用コンピュータは、ガスメータの計測結果に基づいて、前払いされた使用料金に対する相当量のガスが使用し尽くされたときにガス弁を閉じるように構成されたところに特徴を有する。
【０００８】
請求項４の発明は、請求項１又は３に記載のガス料金管理システムにおいて、弁制御コンピュータと集中管理用コンピュータとが通信不可能な時に、弁制御コンピュータへ弁閉信号を出力するシステム制御部を各住居に設けたところに特徴を有する。なお、請求項１又は３に記載のガス料金管理システムにおいて、弁制御コンピュータは、集中管理用コンピュータと通信不可能な時にガス弁を閉じるシステム制御機能を備えた構成にしてもよい。
【０００９】
請求項５の発明は、請求項１乃至４の何れかに記載のガス料金管理システムにおいて、入金情報データベースには、住居の利用者が有する端末装置に通信ネットワークを介して集中管理用コンピュータを接続するための通信アドレスが記憶され、集中管理用コンピュータは、ガスの残量が所定量以下になった住居の利用者のユーザー端末に報知信号を出力する報知機能を備えたところに特徴を有する。
【００１０】
請求項６の発明は、請求項１乃至５の何れかに記載のガス料金管理システムにおいて、入金情報データベースには、住居の利用者毎に設定された利用者識別情報が記憶され、集中管理用コンピュータは、通信ネットワークを介して任意の端末装置が接続可能に構成されると共に、利用者識別情報を端末装置から受信したときに、その利用者識別情報に対応する利用者が使用可能なガスの残量を端末装置に送信するガス残量開示機能を備えたところに特徴を有する。
【００１１】
請求項７の発明は、請求項１乃至６の何れかに記載のガス料金管理システムにおいて、集中管理用コンピュータは、弁制御用コンピュータから受信したガスメータの計測結果に基づいて、各住居毎のガスの使用パターン又はガスの単位期間当たりの使用量を特定するガス使用形態特定機能と、ガスの使用パターン又はガスの単位期間当たりの使用量が、通常のガスの使用パターン又は単位期間当たりの使用量と異なった場合に、異常報知、ガス停止その他の異常処理を行う異常処理機能とを備えたところに特徴を有する。
【００１２】
請求項８の発明は、請求項１乃至７の何れかに記載のガス料金管理システムにおいて、集中管理用コンピュータは、未使用分のガスの残量に対する払い戻し金額を演算する払い戻し金額演算機能を備えたところに特徴を有する。
【００１３】
請求項９の発明に係るガス料金管理プログラムは、複数の住居のうちガスの使用料金を前払いした住居に対してガスの供給を開始する一方、前払いした使用料金に対する相当量のガスを使用し尽くした住居に対してガスの供給を停止するために、コンピュータシステムを、使用料金が前払いされたことに応じて入金情報が住居毎に書き込まれる入金情報記憶手段、入金情報記憶手段に入金情報が書き込まれた住居のガス弁を開くためのガス供給開始命令を出力する開始命令出力手段、入金情報と住居に備えたガスメータの計測結果とに基づいて、前払いされた使用料金に対する相当量のガスが使用し尽くされたか否かを判別する使用完了判別手段、使用完了判別手段の判別結果に応じ、ガスが使用し尽くされた住居のガス弁を閉じるためのガス停止命令を出力する停止命令出力手段、として機能させるところに特徴を有する。
【００１４】
請求項１０の発明に係る記憶媒体は、請求項９に記載のガス料金管理プログラムを記憶したところに特徴を有する。
【００１５】
請求項１１の発明に係る水道料金管理用システムは、複数の住居のうち水道の使用料金を前払いした住居に対して水道の供給を開始する一方、前払いした使用料金に対する相当量の水道を使用し尽くした住居に対して水道の供給を停止する水道料金管理システムであって、住居から離れた場所に集中管理用コンピュータを備え、各住居毎の水道の使用量を計測する水道メータと、各住居毎に水道の供給及び停止を切り替えるための水道弁と、水道弁を制御し集中管理用コンピュータと通信可能な弁制御用コンピュータとを各住居に設けると共に、集中管理用コンピュータには、使用料金が前払いされたことに応じて入金情報が住居毎に書き込まれる入金情報データベースと、入金情報データベースに入金情報が書き込まれた住居の弁制御用コンピュータに、水道弁を開くための水道供給開始命令を出力する開始命令出力機能と、入金情報と水道メータの計測結果とに基づいて、前払いされた使用料金に対する相当量の水道が使用し尽くされたか否かを判別する使用完了判別機能と、使用完了判別機能の判別結果に応じ、水道が使用し尽くされた住居の弁制御用コンピュータに、水道弁を閉じるための水道停止命令を出力する停止命令出力機能とが備えられたところに特徴を有する。
【００１６】
請求項１２の発明に係る水道料金管理システムは、複数の住居のうち水道の使用料金を前払いした住居に対して水道の供給を開始する一方、前払いした使用料金に対する相当量の水道を使用し尽くした住居に対して水道の供給を停止する水道料金管理システムであって、住居から離れた場所に集中管理用コンピュータを備え、各住居毎の水道の使用量を計測する水道メータと、各住居毎に水道の供給及び停止を切り替えるための水道弁と、水道弁を制御し集中管理用コンピュータと通信可能な弁制御用コンピュータとを各住居に設けると共に、集中管理用コンピュータには、使用料金が前払いされたことに応じて入金情報が住居毎に書き込まれる入金情報データベースと、入金情報データベースに入金情報が書き込まれた住居の弁制御用コンピュータに、水道弁を開くための水道供給開始命令を出力する開始命令出力機能とが備えられ、弁制御用コンピュータは、水道メータの計測結果に基づいて、前払いされた使用料金に対する相当量の水道が使用し尽くされたときに水道弁を閉じるように構成されたところに特徴を有する。
【００１７】
請求項１３の発明は、請求項１１又は１２に記載の水道料金管理システムにおいて、弁制御コンピュータと集中管理用コンピュータとが通信不可能な時に、弁制御コンピュータへ弁閉信号を出力するシステム制御部を各住居に設けたところに特徴を有する。なお、請求項１１又は１２に記載の水道料金管理システムにおいて、弁制御コンピュータは、集中管理用コンピュータと通信不可能な時に水道弁を閉じるシステム制御機能を備えた構成にしてもよい。
【００１８】
請求項１４の発明に係る水道料金管理プログラムは、複数の住居のうち水道の使用料金を前払いした住居に対して水道の供給を開始する一方、前払いした使用料金に対する相当量の水道を使用し尽くした住居に対して水道の供給を停止するために、コンピュータシステムを、使用料金が前払いされたことに応じて入金情報が住居毎に書き込まれる入金情報記憶手段、入金情報記憶手段に入金情報が書き込まれた住居の水道弁を開くための水道供給開始命令を出力する開始命令出力手段、入金情報と住居に備えた水道メータの計測結果とに基づいて、前払いされた使用料金に対する相当量の水道が使用し尽くされたか否かを判別する使用完了判別手段、使用完了判別手段の判別結果に応じ、水道が使用し尽くされた住居の水道弁を閉じるための水道停止命令を出力する停止命令出力手段、として機能させるところに特徴を有する。
【００１９】
請求項１５の発明に係る記憶媒体は、請求項１４に記載の水道料金管理プログラムを記憶したところに特徴を有する。
【発明の効果】
【００２０】
［請求項１の発明］
請求項１のガス料金管理システムでは、住居の利用者がガスの使用料金を前払いすると、その使用料金に応じた入金情報が集中管理用コンピュータの入金情報データベースに書き込まれる。すると、その入金情報が書き込まれた住居の弁制御用コンピュータにガス供給開始命令が出力されてガス弁が開かれ、その住居におけるガスの使用が可能になる。そして、前払いされた使用料金分のガスが使用し尽くされると、集中管理用コンピュータから弁制御用コンピュータにガス停止命令が出力されてガス弁が閉じられ、前払いされた使用料金を超えるガスの使用ができなくなり、従来に比べて、回収不能料金を削減し、且つ迅速に料金を回収することが可能になる。
【００２１】
［請求項２の発明］
請求項２のガス料金管理システムでは、使用料金の前払いに対し、信用することができるガスの利用者を優遇することができ、本発明に係るガス料金管理システムの利用者増加を図ることが可能になる。
【００２２】
［請求項３の発明］
請求項３のガス料金管理システムでは、住居の利用者がガスの使用料金を前払いすると、その使用料金に応じた入金情報が集中管理用コンピュータの入金情報データベースに書き込まれる。すると、その入金情報が書き込まれた住居の弁制御用コンピュータにガス供給開始命令が出力されてガス弁が開かれ、その住居におけるガスの使用が可能になる。そして、前払いされた使用料金分のガスが使用し尽くされると、弁制御用コンピュータは、集中管理用コンピュータから指令を待たずに、ガスメータの計測結果に基づいてガスが使用し尽くされたことを検出してガス弁を閉じる。これにより、前払いされた使用料金を超えるガスの使用ができなくなり、従来に比べてガスの回収不能料金を削減し、且つ迅速に料金を回収することが可能になる。
【００２３】
［請求項４の発明］
請求項４のガス料金管理システムでは、弁制御コンピュータと集中管理用コンピュータとが通信不可能な時に、システム制御部によって弁閉信号が出力され、ガス弁が開状態で放置されることが防止される。
【００２４】
［請求項５の発明］
請求項５のガス料金管理システムでは、ガスの残量が所定量以下になった住居の利用者のユーザー端末に報知信号を出力するので、ガスが停止される前に、追加の使用料金の前払いを促すことができる。
【００２５】
［請求項６の発明］
請求項６のガス料金管理システムでは、住居の利用者は、通信ネットワークを介して端末装置を集中管理用コンピュータに接続してガスの残量を知ることができる。
【００２６】
［請求項７の発明］
請求項７のガス料金管理システムでは、ガス使用形態が通常と異なった場合に報知又はガス遮断等の異常処理を行い、異常による被害を抑えることができる。
【００２７】
［請求項８の発明］
請求項８のガス料金管理システムによれば、未使用分のガスの残量に対する払い戻し金額を迅速に演算して、スムーズに払い戻し処理を行うことができる。
【００２８】
［請求項９及び１０の発明］
請求項９のガス料金管理プログラムを実行したコンピュータシステムに、使用料金が前払いされたことに応じて入金情報を入力すると、その入金情報が入金情報記憶手段に書き込まれる。すると、そのコンピュータがガス供給開始命令を出力し、このガス供給開始命令を受けた所定の装置又は作業員が、入金情報記憶手段に入金情報が書き込まれた住居のガス弁を開く。これにより、その住居におけるガスの使用が可能になる。そして、コンピュータは、入金情報と住居に備えたガスメータの計測結果とに基づいて、前払いされた使用料金に対する相当量のガスが使用し尽くされたか否かを判別し、前払いされた使用料金分のガスが使用し尽くされると、ガス停止命令を出力する。すると、これを受けた所定の装置又は作業員がガス弁を閉じる。これにより、前払いされた使用料金を超えるガスの使用ができなくなり、従来に比べて、ガスの回収不能料金を削減し、且つ迅速に料金を回収することが可能になる。
【００２９】
なお、請求項１０の発明のように、請求項９に記載のガス料金管理プログラムは記憶媒体に記憶してもよい。
【００３０】
［請求項１１の発明］
請求項１１の発明に係る水道料金管理用システムでは、住居の利用者が水道の使用料金を前払いすると、その使用料金に応じた入金情報が集中管理用コンピュータの入金情報データベースに書き込まれる。すると、その入金情報が書き込まれた住居の弁制御用コンピュータに水道供給開始命令が出力されて水道弁が開かれ、その住居における水道の使用が可能になる。そして、前払いされた使用料金分の水道が使用し尽くされると、集中管理用コンピュータから弁制御用コンピュータに水道停止命令が出力されて水道弁が閉じられ、前払いされた使用料金を超える水道の使用ができなくなり、従来に比べて水道の回収不能料金を削減し、且つ迅速に料金を回収することが可能になる。
【００３１】
［請求項１２の発明］
請求項１２の発明に係る水道料金管理システムでは、住居の利用者が水道の使用料金を前払いすると、その使用料金に応じた入金情報が集中管理用コンピュータの入金情報データベースに書き込まれる。すると、その入金情報が書き込まれた住居の弁制御用コンピュータに水道供給開始命令が出力されて水道弁が開かれ、その住居における水道の使用が可能になる。そして、前払いされた使用料金分の水道が使用し尽くされると、弁制御用コンピュータは、集中管理用コンピュータから指令を待たずに、水道メータの計測結果に基づいて水道が使用し尽くされたことを検出して水道弁を閉じる。これにより、前払いされた使用料金を超える水道の使用ができなくなり、従来に比べて水道の回収不能料金を削減し、且つ迅速に料金を回収することが可能になる。
【００３２】
［請求項１３の発明］
請求項１３の水道料金管理システムでは、弁制御コンピュータと集中管理用コンピュータとが通信不可能な時に、システム制御部によって弁閉信号が出力され、水道弁が開状態で放置されることが防止される。
【００３３】
［請求項１４及び１５の発明］
請求項１４の発明に係る水道料金管理プログラムを実行したコンピュータシステムに、使用料金が前払いされたことに応じて入金情報を入力すると、その入金情報が入金情報記憶手段に書き込まれる。すると、そのコンピュータが水道供給開始命令を出力し、この水道供給開始命令を受けた所定の装置又は作業員が、入金情報記憶手段に入金情報が書き込まれた住居の水道弁を開く。これにより、その住居における水道の使用が可能になる。そして、コンピュータは、入金情報と住居に備えた水道メータの計測結果とに基づいて、前払いされた使用料金に対する相当量の水道が使用し尽くされたか否かを判別し、前払いされた使用料金分の水道が使用し尽くされると、水道停止命令を出力する。すると、これを受けた所定の装置又は作業員が水道弁を閉じる。これにより、前払いされた使用料金を超える水道の使用ができなくなり、従来に比べて、水道の回収不能料金を削減し、且つ迅速に料金を回収することが可能になる。
【００３４】
なお、請求項１５の発明のように、請求項１４に記載の水道料金管理プログラムは記憶媒体に記憶してもよい。
【発明を実施するための最良の形態】
【００３５】
［第１実施形態］
以下、本発明の一実施形態を図１〜図５及び図６（Ａ）に基づいて説明する。図１には、本実施形態のガス料金管理システム１０の全体構成が示されている。ガス料金管理システム１０は、集中管理用コンピュータ４０と、複数の住居１２に備えたガスメータ１６とからなる。
【００３６】
ここで、本発明に係る「住居」とは、ガスの使用量を個別に計測することが可能な生活空間の最小単位をいう。従って、図１に示した集合住宅１４（例えば、アパート、マンション）は、本発明に係る住居１２を集合させてなり、一戸建て住宅は、それそのものが本発明に係る住居１２である。
【００３７】
ガスメータ１６は、例えば各住居１２の屋外又は屋内に配置されて、それら各住居１２毎に分岐したガス供給ラインの途中に接続されている。ガスメータ１６には、図２に示すように、ガス弁１５と、ガスの通過路内に設置されガスの所定通過体積毎に検出信号を出力する流量センサ１８と、流量センサ１８の検出信号を処理すると共に、ガス弁１５を制御するためのマイクロコンピュータ２２（本発明に係る「弁制御用コンピュータ」に相当する）と、マイクロコンピュータ２２で処理した結果を表示するセキュリティ表示３１と、ガスの通過体積を計量する計量部１７と、計量部１７で計量した結果の積算値を表示する表示器３０と、マイクロコンピュータ２２と集中管理用コンピュータ４０とが通信不可能な時に、マイクロコンピュータ２２へ弁閉信号を出力するシステム制御部３３とが備えられている。
【００３８】
マイクロコンピュータ２２には、ガス通過路内の圧力を検出するための圧力センサ２３と、地震等による震動を検出する震感器２４と、前記ガス弁１５と、前記流量センサ１８及び弁開スイッチ２５とがインターフェース２１を介して接続されている。また、信号処理部２０には、前記マイクロコンピュータ２２と、前記インターフェース２１及び電池３２とが備えられている。
【００３９】
マイクロコンピュータ２２には、例えば、セキュリティ機能が備えられている。具体的には、震感器２４が震動を検出したときには、ガス弁１５を強制的に閉状態にしてガスの供給を停止する。また、圧力センサ２３によって検出したガス圧が所定値を下回った時にも、ガス弁１５を閉状態にする。これらにより、ガス漏れ等の事故及び不正行為を防ぐことができる。
【００４０】
なお、ガス弁１５が開状態になっていて、上記したセキュリティ上の問題でガス弁１５を閉状態にした場合には、弁開スイッチ２５を操作することで、ガス弁１５を元の開状態に復帰させることができる。一方、マイクロコンピュータ２２と集中管理用コンピュータ４０とが通信不可能な場合やガスの使用料金未払い時、さらに、前払い料金相当量のガスが使用し尽くされた場合において、システム制御部３３、マイクロコンピュータ２２又は、集中管理コンピュータ４０からの出力によりガス弁が閉止された場合には、弁開スイッチ２５が操作されてもガス弁１５は開状態にならない。
【００４１】
ガスメータ１６は、端子台２６を備えており、この端子台２６には、マイクロコンピュータ２２と外部との間で通信を行うための外部通信機２７が接続されている。図１に示すように、外部通信機２７は、集合住宅１４には、例えば複数の住居１２のマイクロコンピュータ２２が共有するように備えられている。また、一戸建て住宅のガスメータ１６には、図６（Ａ）に示すように、それぞれ外部通信機２７が備えられている。
【００４２】
そして、マイクロコンピュータ２２は、外部通信機２７とを通して外部と無線で信号を送受信することが可能となっている。本実施形態では、外部通信機２７は、例えば、無線通信網を介して相手側の端末との間で信号を送受信する構成になっている。具体的には、各ガスメータ１６に備えた図示しないＲＯＭには、それぞれ固有の識別番号が記憶されており、マイクロコンピュータ２２が、外部通信機２７から受信した信号に含まれる識別番号と、ＲＯＭに記憶された識別番号とが一致しているか否かを判別し、一致していた場合に受信した信号に基づいて所定の処理を実行する。また、マイクロコンピュータ２２から外部に信号を送信する際にも識別番号を送信信号に含めて送信する。
【００４３】
なお、「無線通信網」には、ＰＨＳ網又は携帯電話網を利用した通信網が含まれる。
【００４４】
なお、マイクロコンピュータ２２の端子台２６には、外部通信機２７以外に、例えば、宅内操作器２８、ガス漏れ警報機２９等の種々の機器が接続されている。
【００４５】
上記したガスメータ１６を備えた各住居１２のガスの使用量は、集中管理用コンピュータ４０によって集中管理している。集中管理用コンピュータ４０は、図３に示すように、ＣＰＵ４１と、メモリ４２（例えば、ＲＯＭ、ＲＡＭ）、記憶装置４３（例えば、ハードディスク、ＭＯ、ＤＶＤ等）と、入力装置４４（例えば、キーボード、マウス等）と、出力装置４５（ディスプレイ、プリンタ）と、ネットワーク接続装置４６（例えばＬＡＮカード、モデム等）とを備えている。
【００４６】
集中管理用コンピュータ４０は、無線通信網及び外部通信機２７を介して、マイクロコンピュータ２２との間で通信可能となっている。集中管理用コンピュータ４０の記憶装置４３には、各ガスメータ１６毎のガスの使用料金を管理するための入金情報データベース５０が記憶されている。図４に示すように、入金情報データベース５０には、各ガスメータ１６毎の識別番号を記憶した識別番号フィールド１と、各ガスメータ１６毎の前払いの使用料金を記憶した入金フィールド２と、入金フィールド２の値をガスの購入量（使用可能なガス量）に変換した購入量フィールド３と、購入量フィールド３の値から実際に使用したガス量を減算した残量フィールド４と、残量フィールド４の値を残金に変換した残金フィールド５と、ガスの利用者の氏名を記憶した利用者フィールド６と、その利用者フィールド６の利用者の住所、電話番号、ＦＡＸ番号、メールアドレス等を記憶した個人情報フィールド７等とから構成されている。また、集中管理用コンピュータ４０には、上記に記載されたフィールドデータの一部乃至全部をインターネットを介して確認できるようにＷｅｂ化して、集中管理用コンピュータ４０に接続されたＷｅｂサーバ７１へ転送する機能が備えられている。Ｗｅｂサーバ７１には、ホームページが設けられており、インターネットを介して、このホームページへアクセスすることが可能になっている。また、入金情報データベース５０のＷｅｂ化された情報へアクセスするには、固有の認識番号及びパスワードが必要となる。
【００４７】
図５には、本実施形態のガス料金管理システム１０を用いた情報及び金銭の流れが示されている。本ガス料金管理システム１０を利用するには、ガスの利用者とガス事業者との間で初期契約を行う。具体的には、電話、ＦＡＸ、はがき等にて、ガス料金管理システム１０の利用を希望する連絡を行う。このときに、ガス事業者は、少なくとも利用者の氏名及び住所を含む個人情報を取得する。
【００４８】
ガス事業者は、取得した利用者の個人情報をデータセンター７０に送ると共に、利用者にガスの使用料金の振込伝票を発送する。また、ガス事業者は、利用者に固有の識別番号とパスワードを設定し、利用者及びデータセンター７０に通知する。
【００４９】
データセンター７０では、ガス事業者から送られてきた利用者の個人情報（識別番号及びパスワードを含む）を入力装置４４にて集中管理用コンピュータ４０に入力する。すると、集中管理用コンピュータ４０は、個人情報に含まれる住所からその住所の住居１２に設置されているガスメータ１６の識別番号を入金情報データベース５０から検索し、その識別番号のガスメータ１６に対応させて個人情報を入金情報データベース５０に書き込む。
【００５０】
ガスの使用料金の振込伝票は、例えば使用料金が異なる複数の振込伝票が利用者に発送される。具体的には、例えば、ガスの使用料金として、５千円、１万円、１万５千円、２万円、２万５千円の振込料金が記載された複数の振込伝票が利用者に発送され、利用者は、所望の振込伝票を選び、その振込伝票に記載された金額をガス事業者が指定した口座に振り込む。振り込みは、銀行、郵便局、コンビニエンスストア等で代金収納代行システム又はクレジットカード等を利用して行うことができる。
【００５１】
ガス事業者は、振り込みを確認したら、その振込金額と振り込み主の住所をデータセンター７０に連絡する。データセンター７０では、振込金額と振り込み主の住所を集中管理用コンピュータ４０に入力する。すると、集中管理用コンピュータ４０は、振り込み主の住所からガスメータ１６の識別番号を入金情報データベース５０から検索し、その識別番号のガスメータ１６に対応した入金フィールド２に振込金額をガスの使用料金として書き込む。また、使用料金に相当するガス量を購入量フィールド３に書き込む。
【００５２】
集中管理用コンピュータ４０は、入金フィールド２にガスの使用料金が書き込まれたガスメータ１６のマイクロコンピュータ２２に、ガス弁１５を開くためのガス供給開始命令を出力する（本発明に係る「開始命令出力機能」に相当する）。具体的には、例えば集合住宅１４のガスメータ１６のマイクロコンピュータ２２に信号を出力する。すると、集合住宅１４の外部通信機２７が信号を受信し、各ガスメータ１６のマイクロコンピュータ２２へ信号を中継する。この時、各ガスメータ１６が個別にネットワークアドレスを持っていれば、付与されたネットワークアドレスに対応したガスメータ１６のマイクロコンピュータ２２へ集中管理用コンピュータ４０からの信号が中継され、そのガスメータ１６に備えたガス弁１５を開く。また、各ガスメータ１６が個別のネットワークアドレスを持っていなければ、その集合住宅１４に備えられたすべてのガスメータ１６のマイクロコンピュータ２２へ集中管理用コンピュータ４０からの信号が中継され、その信号に含まれる識別番号と同じ識別番号を有したガスメータ１６のマイクロコンピュータ２２が、そのガスメータ１６に備えたガス弁１５を開く。そして、利用者が住居１２内でガス栓を開けば、ガス機器の使用が可能になる。
【００５３】
なお、データセンター７０は、可能であれば、利用者に対してガス弁１５を開状態にした旨を連絡する。
【００５４】
利用者が、住居１２でガスを使用すると、その使用量がガスメータ１６によって計測される。そして、集中管理用コンピュータ４０は、ガスメータ１６で計測されたガス使用量を定期的（例えば１日毎）に読み出す。集中管理用コンピュータ４０では、識別番号に対応する住居１２に関する情報を入金情報データベース５０から取り出し、使用したガス量を購入量フィールド３の値から減算してその残量フィールド４に書き込む。このとき、残量を払い戻し金額に換算して残金フィールド５に書き込む。
【００５５】
集中管理用コンピュータ４０は、これらの情報が入金情報データベース５０に書き込まれたら、入金情報データベース５０をＷｅｂ化し、Ｗｅｂサーバ７１へ転送する。
【００５６】
ここで、利用者は、インターネットに接続可能な任意の端末装置（図１の符合６０）でＷｅｂサーバ７１のホームページにアクセスし、そこで、識別番号及びパスワードを入力することで、その利用者のガスの残量及びその残量に対する払い戻し金額等の情報を取得することができる。また、集中管理用コンピュータ４０は、各利用者の一日のガスの平均使用量を演算し、その平均使用量からガスが使用し尽くされるまでの予想日数に関する情報もＷｅｂサーバ７１を介して利用者に提供する（本発明に係る「ガス残量開示機能」に相当する）。
【００５７】
また、集中管理用コンピュータ４０は、マイクロコンピュータ２２から受信したガスメータ１６の計測結果に基づいて、各住居１２毎のガスの使用パターン及び単位期間（例えば、１時間）当たりの使用量を特定する機能（本発明の「ガス使用形態特定機能」に相当する）を備えている。ここで、ガスの使用パターンとして、時間を横軸としたガスの使用量の分布が求められる。そして、ガス使用形態特定機能が通常のガスの使用パターン又はガスの単位期間当たりの使用量と比較して多いと判断した場合に、ガスの使用可能期間が通常よりも短くなることが予想されるため、その旨を利用者に連絡する。なお、連絡が取れず、ガスの使用パターンが通常と異なる原因を把握できない場合には、集中管理用コンピュータ４０からマイクロコンピュータ２２にガス停止命令を出力して、ガスを一時的に停止する（本発明に係る「異常処理機能」に相当する）。これにより、ガスの異常使用による被害を抑えることができる。
【００５８】
集中管理用コンピュータ４０は、ガスの残量が「０」になったか否かをチェックすると共に（本発明に係る「使用完了判別機能」に相当する）、ガスの残量が「所定量」を下回ったか否かをチェックする。ここで、「所定量」に係るチェックとしては、例えば、各利用者毎の平均使用量とガスの残量とから、ガスの残量が「０」になるまでのまでの予想日数を求め、その予想日数が１０日を切ったか否かを判別する。そして、ガスが使用し尽くされるまでの予想日数が、１０日を切った場合には、集中管理用コンピュータ４０から取得した利用者の電話、ＦＡＸ、又は、メールアドレスに残量に関する情報、例えば、「平均使用量から求められるガスの残量は、１０日分」という通知を行う（本発明に係る「報知機能」に相当する）。これにより、ガスが停止される前に、追加の使用料金の前払いを促すことができる。
【００５９】
追加の前払い料金が振り込まれず、ガスの残量が「０」になった場合には、集中管理用コンピュータ４０は、そのガスの残量が「０」になった住居１２のマイクロコンピュータ２２に向けてガス停止命令を出力する（本発明に係る「停止命令出力機能」に相当する）。すると、マイクロコンピュータ２２は、ガス弁１５を閉じる。これにより、前払いされた使用料金を超えるガスの使用ができなくなる。
【００６０】
一方、追加の前払い料金が利用者から振り込まれた場合には、入金情報データベース５０に入金フィールド２に振り込まれた料金を加算し、これに伴って、購入量フィールド３のガスの購入量、残量フィールド４のガスの残量、残金フィールド５の残金が加算される。この結果も、利用者がインターネットを介してＷｅｂサーバ７１のホームページにアクセスし、識別番号及びパスワードを入力することで確認することができると共に、データセンター７０から利用者に発送される書類によっても確認することができる。
【００６１】
ところで、集中管理用コンピュータ４０は、ガスを使用し尽くす前に使用料金を追加して前払いする継続手続きを、各利用者が何回連続して行ったかをカウントする。そして、前払いする継続手続きを所定回以上連続して行った利用者に対しては、ガスが使用し尽くされても所定の猶予期間を経過するまではガス弁１５を閉じないという処理を行う（本発明に係る「猶予期間付与機能」に相当する）。これにより、信用することができるガスの利用者を優遇することができ、本発明に係るガス料金管理システム１０の利用者増加を図ることができる。
【００６２】
以上まとめると、ガス料金管理システム１０では、住居１２の利用者がガスの使用料金を前払いすると、その使用料金に応じた入金情報が集中管理用コンピュータ４０の入金情報データベース５０に書き込まれる。すると、その入金情報が書き込まれた住居１２のマイクロコンピュータ２２にガス供給開始命令が出力されてガス弁が開かれ、その住居１２におけるガスの使用が可能になる。そして、前払いされた使用料金分のガスが使用し尽くされると、集中管理用コンピュータ４０からマイクロコンピュータ２２にガス停止命令が出力されてガス弁１５が閉じられ、前払いされた使用料金を超えるガスの使用ができなくなる。即ち、本実施形態のガス料金管理システム１０によれば、ガス料金の所謂踏み倒しが防止され、従来に比べてガスの回収不能料金を削減し、且つ迅速に料金を回収することが可能になる。
【００６３】
なお、ガスの使用料金の残金が残された状態で、ガスの利用を終了する場合には、利用者は、ガス事業者にその旨を連絡すればよい。すると、集中管理用コンピュータ４０が演算した未使用分のガスの残量に対する払い戻し金額が利用者に払い戻される。このように、ガスの使用料金の払い戻し処理もスムーズに行うことができる。
【００６４】
［第２実施形態］
本実施形態は、前払い使用料金分のガスを使用し尽くした場合のガス停止処理に関する構成のみが前記第１実施形態と異なる。即ち、本実施形態のガス料金管理システム１０では、入金情報データベース５０に入金情報が書き込まれると、その住居１２のマイクロコンピュータ２２にガス供給開始命令と共に使用可能なガス量が出力される。すると、マイクロコンピュータ２２がガス弁１５を開放すると共に、集中管理用コンピュータ４０から取得した使用可能なガス量とガスメータ１６の計測結果とを比較して、前払いされた使用料金分のガス量が使用し尽くされたか否かをチェックする。そして、使用可能なガス量の残量が０になると、マイクロコンピュータ２２は、集中管理用コンピュータ４０から指令を待たずにガス弁１５を閉じる。これにより、前払いされた使用料金を超えるガスの使用ができなくなり、従来に比べてガスの回収不能料金を削減し、且つ迅速に料金を回収することが可能になる。
【００６５】
［他の実施形態］
本発明は、前記実施形態に限定されるものではなく、例えば、以下に説明するような実施形態も本発明の技術的範囲に含まれ、さらに、下記以外にも要旨を逸脱しない範囲内で種々変更して実施することができる。
【００６６】
（１）本発明に係るガス料金管理システム１０で取引の対象とするガスは、その成分、供給形態は問わない。従って、ＬＰガス、都市ガスのいずれであってもよい。
【００６７】
（２）前記第１及び第２実施形態のガス料金管理システム１０におけるガスを水道に置き換えて、水道料金管理用システムとして利用してもよい。
【００６８】
（３）前記第１及び第２実施形態では、ガス事業者とデータセンター７０とがガス料金管理システム１０における集金処理及び情報通知処理を分担していたが、ガス事業者の処理をすべてデータセンター７０に委託してもよい。
【００６９】
（４）前記第１実施形態及び第２実施形態では、ガスの残量が０になった場合には、使用料金が前払いで振り込まれない限り、自動的にガスの供給を停止する構成であったが、使用料金が前払いで振り込まれる前に、利用者から入金の連絡を受けた場合には、使用料金が前払いされたと見なして、ガスの供給を継続する構成にしてもよい。
【００７０】
（５）前記第１実施形態及び第２実施形態では、Ｗｅｂサーバ７１を介し、インターネットを通じて情報を公開していたが、集中管理用コンピュータ４０がＷｅｂサーバの機能を備えてもよい。
【００７１】
（６）前記第１実施形態及び第２実施形態では、図６（Ａ）に示すように、信号線を用いて外部通信機２７を外部接続し、集中管理用コンピュータ４０と通信していたが、図６（Ｂ）に示すように、ガスメータ１６は、ガス弁１５と、マイクロコンピュータ２２と、システム制御部３３と、外部通信機２７とを一体に備え、集中管理用コンピュータ４０と通信してもよい。また、図６（Ｃ）に示すように、ガスメータ１６は、ガス弁１５とマイクロコンピュータ２２とを一体に備え、信号線を用いて外部通信機２７が接続されたシステム制御部３３を外部接続し、集中管理用コンピュータ４０と通信してもよい。また、図６（Ｄ）に示すように、ガスメータ１６は、ガス弁１５とマイクロコンピュータ２２とを一体に備え、信号線を用いてシステム制御部３３と外部通信機２７とを一体に備えたものを外部接続し、集中管理用コンピュータ４０と通信してもよい。また、図６（Ｅ）に示すように、ガスメータ１６は、マイクロコンピュータ２２とシステム制御部３３とを一体に備え、信号線を用いてガス弁１５と外部通信機２７とを外部接続し、集中管理用コンピュータ４０と通信してもよい。また、図６（Ｆ）に示すように、ガスメータ１６は、マイクロコンピュータ２２を備え、信号線を用いてガス弁１５と、外部通信機２７が接続されたシステム制御部３３とを外部接続し、集中管理用コンピュータ４０と通信してもよい。また、図６（Ｇ）に示すように、ガスメータ１６は、マイクロコンピュータ２２を備え、信号線を用いてガス弁１５と、外部通信機２７とシステム制御部３３とが一体となったものとを外部接続し、集中管理用コンピュータ４０と通信してもよい。外部通信機２７を介した通信ネットワークは、無線通信網を利用してもよいし、有線通信網、例えばインターネットや専用回線で接続してもよい。また、これら図６（Ａ）〜図６（Ｇ）に示したものにおいて、信号線が切断された場合は、ガス弁１５が閉状態となり、弁開スイッチ２５が操作されてもガス弁１５は開状態にならない構成にすることが好ましい。また、図６（Ａ）、（Ｂ）、（Ｅ）に示すように、システム制御部３３を一体に備えたガスメータ１６において、各機器間の信号線が切断された場合には、システム制御部３３の機能により、ガス弁１５が閉状態となり、集中管理用コンピュータ２２と通信不可能としてガス弁１５は開状態にならない。又、図６（Ｃ）、（Ｄ）、（Ｆ）、（Ｇ）に示すように、ガスメータ１６とシステム制御部３３とを信号線で接続する場合は、信号線が断線しにくい構造とすることが好ましい。
【図面の簡単な説明】
【００７２】
【図１】本発明に係る第１実施形態のガス料金管理システムを示した概念図
【図２】ガスメータの電気的構成を示したブロック図
【図３】集中管理用コンピュータの電気的構成を示したブロック図
【図４】入金情報データベースの構成を示した概念図
【図５】ガス料金管理システムにおける情報の流れを示した概念図
【図６】本実施形態に含まれるガスメータの構造を示した概念図
【符号の説明】
【００７３】
１０    ガス料金管理システム
１２    住居
１５    ガス弁
１６    ガスメータ
２２    マイクロコンピュータ
２７    外部通信機
４０    集中管理用コンピュータ
５０    入金情報データベース
【図１】
2005148882.tif 000003
【図２】
2005148882.tif 000004
【図３】
2005148882.tif 000005
【図４】
2005148882.tif 000006
【図５】
2005148882.tif 000007
【図６】
2005148882.tif 000008